(57)【要約】【課題】生ごみ処理機の脱臭手段において、触媒上流側温度の触媒加熱ヒータ温度変化に対する応答性が低く、ヒータ寿命も短いこと。【解決手段】厨芥を収納する収納部を有する本体と、前記厨芥を加熱する加熱手段を有し前記本体に対して回動自在に設けられた蓋と、厨芥の加熱により発生する蒸気中に含まれる臭気を脱臭する脱臭手段４０と、排気口より蒸気を外部に排出する排気手段とを備え、脱臭手段４０は、加熱されて臭気を脱臭する触媒４１と、触媒４１を加熱する触媒加熱ヒータ４２を有し、触媒加熱ヒータ４２の発熱体４２ａを触媒４１の内、上流側の触媒内に配置する構成とした。これにより、蒸気流入の影響を受ける上流側触媒の温度の、触媒加熱ヒータの温度変化に対する応答性が高くなると共に、ヒータ寿命に影響がない脱臭性能に優れた生ごみ処理機を提供できるようになる。【選択図】図１
2007275835.tif 000002
【特許請求の範囲】
【請求項１】
厨芥を収納する収納部を有する本体と、前記厨芥を加熱する加熱手段を有し前記本体に対して回動自在に設けられた蓋と、前記厨芥の加熱により発生する蒸気中に含まれる臭気を脱臭する脱臭手段と、排気口より蒸気を外部に排出する排気手段とを備え、前記脱臭手段は、加熱されて臭気を脱臭する触媒と、前記触媒を加熱する触媒加熱ヒータを有し、前記触媒加熱ヒータの発熱体を前記触媒の内、上流側の触媒内に配置する構成とした生ごみ処理機。
【請求項２】
生ごみ処理機の運転開始後、触媒加熱ヒータを動作させて上流側の触媒を所定の温度まで加熱し、その後排気手段を動作させて、前記触媒加熱ヒータによる上流側からの伝熱作用と、前記排気手段による上流側からの熱風の移動とにより、下流側の触媒の加熱を行う構成として、前記上流側、下流側の触媒共に、脱臭活性化領域とした請求項１記載の生ごみ処理機。
【発明の詳細な説明】
【技術分野】
【０００１】
本発明は台所等で出る生ごみ等を処理する生ごみ処理機に関するものである。
【背景技術】
【０００２】
従来の生ごみ処理機を、図３、図４を用いて説明する。図３は従来の生ごみ処理機の脱臭手段の断面図、図４は従来の生ごみ処理機の断面図を示すものである。図４において、１は生ごみ処理機本体、２は生ごみを収納する生ごみ収納部で、底面に生ごみを撹拌する撹拌羽根３を備えている。この生ごみ収納部２の上部に生ごみを加熱するヒータからなる加熱手段４を配してある。加熱手段４は加熱用ヒータおよび加熱ファン６から構成され、熱風を生ごみに当てて生ごみの表面を加熱乾燥する。なお加熱ファン６は加熱モータ７により回転駆動される。
【０００３】
また、生ごみ収納部２の上方に吸気口８が設けられており、この吸気口８は生ごみ収納部２を介して蒸気通路５を通じて脱臭手段１０に接続されている。脱臭手段１０を介して臭気を脱臭し、排気口１３より外部に排出する排気手段１４（排気ファン、排気モータ、冷却ファン（図示なし））から構成されている。生ごみ処理機本体１内には制御回路（図示なし）、撹拌羽根３を駆動する駆動装置１９を設けてある。
【０００４】
図３において、脱臭手段１０は加熱されて臭気を脱臭する触媒１１と、触媒を加熱する触媒加熱ヒータ１２で構成している。触媒はパイプ１１ａに白金パラジウムを坦持したフィン１１ｂを固定して蒸気通路をスパイラル形状としている。そしてパイプ１１ａ内部に触媒加熱ヒータ１２挿入する構成とし、パイプ１１ａ内部から蒸気を脱臭するフィン１１ｂへ加熱する方式としている。触媒加熱ヒータ１２の発熱体１２ａは、触媒の下流側および上流側に配置しており、触媒１１および触媒加熱ヒータ１２の最高温度地点は下流側としてある（例えば、特許文献１参照）。
【特許文献１】特開２００４−０２７６４３号公報
【発明の開示】
【発明が解決しようとする課題】
【０００５】
しかしながら上記従来の生ごみ処理機は、触媒加熱ヒータの発熱体が上流側および下流側に配置し、触媒および触媒加熱ヒータの最高温度地点を下流側としており、蒸気が流入し、触媒上流側が脱臭活性化となる温度に達しないがために、触媒加熱ヒータ温度を上げても、下流側は高くなるが、肝心の上流側が高くならない課題があると共に、触媒上流側温度を上げるために触媒加熱ヒータ温度を大きく上げると、ヒータが早期に断線してしまう温度に達し、ヒータ寿命が短くなるという課題を有していた。
【課題を解決するための手段】
【０００６】
上記従来の問題を解決するために、本発明の生ごみ処理機は、厨芥を収納する収納部を有する本体と、前記厨芥を加熱する加熱手段を有し前記本体に対して回動自在に設けられた蓋と、厨芥の加熱により発生する蒸気中に含まれる臭気を脱臭する脱臭手段と、排気口より蒸気を外部に排出する排気手段とを備え、前記脱臭手段は、加熱されて臭気を脱臭する触媒と、前記触媒を加熱する触媒加熱ヒータを有し、前記触媒加熱ヒータの発熱体を前記触媒の内、上流側の触媒に配置する構成としたもので、触媒加熱ヒータの発熱体を触媒内の上流側に配置することで、蒸気が流入の影響を受ける触媒上流側温度の触媒加熱ヒータ温度変化に対する応答性が高くなると共に、触媒加熱ヒータを大きく上げる必要がないため、ヒータ寿命に影響がない脱臭性能に優れた生ごみ処理機を提供できる。
【発明の効果】
【０００７】
本発明の生ごみ処理機は、蒸気流入の影響を受ける触媒上流側温度の触媒加熱ヒータ温度変化に対する応答性が高くなると共に、ヒータ寿命に影響がない脱臭性能に優れた生ごみ処理機を提供できる。
【発明を実施するための最良の形態】
【０００８】
第１の発明は、厨芥を収納する収納部を有する本体と、前記厨芥を加熱する加熱手段を有し前記本体に対して回動自在に設けられた蓋と、厨芥の加熱により発生する蒸気中に含まれる臭気を脱臭する脱臭手段と、排気口より蒸気を外部に排出する排気手段とを備え、前記脱臭手段は、加熱されて臭気を脱臭する触媒と、前記触媒を加熱する触媒加熱ヒータを有し、前記触媒加熱ヒータの発熱体を前記触媒の内、上流側の触媒に配置する構成としたもので、触媒加熱ヒータの発熱体を触媒内の上流側に配置することで、蒸気流入の影響を受ける触媒上流側温度の触媒加熱ヒータ温度変化に対する応答性が高くなると共に、触媒加熱ヒータを大きく上げる必要がないため、ヒータ寿命に影響がない脱臭性能に優れた生ごみ処理機を提供できる。
【０００９】
第２の発明は、第１の発明の生ごみ処理機の運転開始後、触媒加熱ヒータを動作させて上流側の触媒を所定の温度まで加熱し、その後排気手段を動作させて、前記触媒加熱ヒータによる上流側からの伝熱作用と、前記排気手段による上流側からの熱風の移動とにより、下流側の触媒の加熱を行う構成として、前記上流側、下流側の触媒共に、脱臭活性化領域としたもので、触媒ほぼ全域が脱臭活性化領域となるため、脱臭性能が向上し、脱臭性能に優れた生ごみ処理機を提供できる。
【００１０】
以下、本発明の実施の形態について、図面を参照しながら説明する。なお、この実施の形態によって本発明が限定されるものではない。
【００１１】
（実施の形態１）
図１は、本発明の第１の実施の形態における生ごみ処理機の脱臭手段を、図２は、同、生ごみ処理機の断面図を、それぞれ示すものである。図２において、生ごみを収納する生ごみ収納部３２で、底面に生ごみを撹拌する撹拌羽根３３を備えている。生ごみ収納部３２の上部に生ごみを加熱するヒータからなる加熱手段３４を配してある。加熱手段３４は加熱用ヒータおよび加熱ファン３６から構成され、熱風を生ごみに当てて生ごみの表面を加熱乾燥する。なお加熱ファン３６は加熱モータ３７により回転駆動される。
【００１２】
生ごみ収納部３２の上方に吸気口３８が設けられており、この吸気口３８は生ごみ収納部３２を介して蒸気通路部３５を通じて脱臭手段４０に接続されている。脱臭手段４０を介して臭気を脱臭し、排気口４３より外部に排出する排気手段４４（排気ファン、排気モータ、冷却ファン（図示なし））から構成されている。生ごみ処理機本体３１内には制御回路（図示なし）、撹拌羽根３３を駆動する駆動装置４９を設けてある。蓋５１と生ごみ処理機本体は尾錠５０により施錠され、生ごみ処理機が運転状態に入る。蓋開操作部５２を操作することで、尾錠５０を解除し、蓋５１が自動的にオープンする構成となっている。
【００１３】
図１において、脱臭手段４０は加熱されて臭気を脱臭する触媒４１と、触媒を加熱する触媒加熱ヒータ４２で構成している。触媒はパイプ４１ａに白金パラジウムを坦持したフィン４１ｂを固定して蒸気通路をスパイラル形状としている。パイプ４１ａ内部に触媒加熱ヒータ４２挿入する構成とし、パイプ４１ａ内部から蒸気を脱臭するフィン４１ｂへ加熱する方式としている。触媒加熱ヒータ４２の発熱体４２ａは、触媒の上流側のみに配置しており、触媒４１および触媒加熱ヒータ４２の最高温度地点は上流側としてある。前記触媒４１および触媒加熱ヒータ４２はショクバイケース５３に取り付けてある。ショクバイケース５３には入口パイプ５３ａ、出口パイプ５３ｂを取り付けており、入口パイプ５３ａから流入する蒸気は触媒４１を経由し、出口パイプ５３ｂから排気手段４４に至る。ここで言う、触媒上流側は図１のショクバイケース５３内の下側、触媒下流側はショクバイケース上側のことである。ショクバイケース５３の外側には内部の熱を保温するために、断熱材Ａ５４で覆っている。また、入口パイプ５３ａの外側には流入する蒸気温度を保温するために、断熱材Ｂ５５で覆っている。
【００１４】
以上のように構成された生ごみ処理機について、以下動作、作用、効果を説明する。厨芥を収納する収納部３２を有する本体３１と、厨芥を加熱する加熱手段３４を有し、かつ本体３１に対して回動自在に本体３１に設けた蓋５１と、収納部３２の厨芥を加熱して発生する蒸気中の臭気を脱臭する脱臭手段４０と、排気口４３より蒸気を外部に排出する排気手段４４を有し、脱臭手段４０は加熱されて臭気を脱臭する触媒４１と、触媒４１を加熱する触媒加熱ヒータ４２で構成し、触媒加熱ヒータ４２の発熱体４２ａは触媒４１内の上流側のみに配置したもので、触媒加熱ヒータ４２の発熱体４２ａを触媒４１内の上流側に配置することで、蒸気流入の影響を受ける触媒上流側温度の触媒加熱ヒータ４２温度変化に対する応答性が高くなると共に、触媒加熱ヒータ４２を大きく上げる必要がないため、ヒータ寿命に影響がない脱臭性能に優れた生ごみ処理機を提供できる。
【００１５】
触媒加熱ヒータ４２の発熱体４２ａを触媒４１内の上流側のみとすることで、触媒４１および触媒加熱ヒータ温度最高地点を上流側とし、脱臭手段４０に流入する低温状態の蒸気により、触媒上流側温度の過度な低減を防止する構成としたしたもので、蒸気流入の影響を受ける触媒上流側温度を触媒加熱ヒータ温度変化による応答性が高くなり、触媒上流側温度の過度な低減がないため、脱臭性能に優れた生ごみ処理機を提供できる。
【００１６】
運転開始直後は、触媒加熱ヒータ４２を動作し、触媒上流側を加熱させた後、排気手段４４を動作し、触媒下流側を触媒加熱ヒータ４２による上流側からの伝熱作用と触媒上流側からの熱風で加熱する構成とし、触媒上流側と下流側が共に脱臭活性化領域としたもので、触媒４１ほぼ全域が脱臭活性化領域となるため、脱臭性能が向上し、脱臭性能に優れた生ごみ処理機を提供できる。
【産業上の利用可能性】
【００１７】
以上のように、本発明にかかる生ごみ処理機は、蒸気流入の影響を受ける触媒上流側温度の触媒加熱ヒータ温度変化に対する応答性が高くなると共に、ヒータ寿命に影響がない脱臭性能に優れた生ごみ処理機を提供できるので、脱臭手段を必要とする家庭用、業務用機器に利用できる。
【図面の簡単な説明】
【００１８】
【図１】本発明の実施の形態１における生ごみ処理機の脱臭手段の断面図
【図２】同、生ごみ処理機の断面図
【図３】従来の生ごみ処理機の脱臭手段の断面図
【図４】従来の生ごみ処理機の断面図
【符号の説明】
【００１９】
３２    収納部
３４    加熱手段
４０    脱臭手段
４１    触媒
４１ａ  パイプ
４１ｂ  フィン
４２    触媒加熱ヒータ
４２ａ  発熱体
４３    排気口
４４    排気手段
５１    蓋
【図１】
2007275835.tif 000003
【図２】
2007275835.tif 000004
【図３】
2007275835.tif 000005
【図４】
2007275835.tif 000006